(57)【要約】【課題】本発明の課題は、商品を購入することなく、募金することができる自動販売を提供することにある。【解決手段】所定金額の貨幣投入後、商品選択スイッチの選択により、該商品選択スイッチに対応付けられたコラムの搬出装置を駆動して商品取出口に選択された商品を搬出する自動販売機において、前記商品選択スイッチを、搬出装置と対応付けられていないコラムと対応付けて、募金用の選択スイッチとして設定する設定手段を備え、先に貨幣が投入された後、前記募金用の選択スイッチが操作されると、該募金用の選択スイッチまでに投入された投入金額を募金金額として記憶することにより、任意金額の募金を行えるようにする。【選択図】  図４
2011222052.tif 000002
【特許請求の範囲】
【請求項１】
所定金額の貨幣投入後、商品選択スイッチの選択により、該商品選択スイッチに対応付けられたコラムの搬出装置を駆動して商品取出口に選択された商品を搬出する自動販売機において、前記商品選択スイッチを、搬出装置と対応付けられていないコラムと対応付けて、募金用の選択スイッチとして設定する設定手段を備え、先に貨幣が投入された後、前記募金用の選択スイッチが操作されると、該募金用の選択スイッチまでに投入された投入金額を募金金額として記憶することを特徴とする自動販売機。
【発明の詳細な説明】
【技術分野】
【０００１】
本発明は、募金を行える自動販売機に関するものである。
【背景技術】
【０００２】
従来、自動販売機を用いてたとえば商品や駐車料金などのサービスを指定して、その購入代金の清算を行う際に、釣銭を払い出す代わりに、所定の募金先にこの釣銭を送金する募金システムが知られている（例えば、特許文献１参照）。
【先行技術文献】
【特許文献】
【０００３】
【特許文献１】特開２００２−８３３４４号公報
【発明の概要】
【発明が解決しようとする課題】
【０００４】
しかしながら、従来の自動販売機を用いた募金システムでは、商品を購入することが前提条件であり、たとえば、商品を購入せずに募金のみを行いたい場合には、出来ないというのが現状であった。
【０００５】
本発明は、上記課題に鑑みて、商品を購入することなく、募金することができる自動販売を提供することを目的とする。
【課題を解決するための手段】
【０００６】
上記課題を解決するために、本発明では  所定金額の貨幣投入後、商品選択スイッチの選択により、該商品選択スイッチに対応付けられたコラムの搬出装置を駆動して商品取出口に選択された商品を搬出する自動販売機において、前記商品選択スイッチを、搬出装置と対応付けられていないコラムと対応付けて、募金用の選択スイッチとして設定する設定手段を備え、先に貨幣が投入された後、前記募金用の選択スイッチが操作されると、該募金用の選択スイッチまでに投入された投入金額を募金金額として記憶することを特徴とする。
【発明の効果】
【０００７】
本発明は、商品選択スイッチを募金スイッチとすることで、通常の商品販売と同様の操作によって簡単に募金を行えるようにでき、しかも、募金スイッチの設定に関しても、既存の自動販売機のコラム数の設定を行うモードを利用することで、容易に対応可能であるという効果を奏する。
【０００８】
また、募金金額の集計も、募金用の選択スイッチに対応した売上として集計可能となり、募金合計額がすぐにわかり、また、表示することで利用者にも募金がされていることが容易に理解できるようになる。
【図面の簡単な説明】
【０００９】
【図１】本発明の一実施の形態である自動販売機の制御装置を示す構成ブロック図
【図２】本発明の募金処理を示すフローチャート図
【図３】本発明の募金処理を示すフローチャート図
【図４】本発明の募金処理を示すフローチャート図
【図５】本発明の商品購入時の処理を示すフローチャート図
【図６】本発明の一実施の形態である自動販売機の概略正面図
【発明を実施するための形態】
【００１０】
以下に添付図面を参照して、好適な実施例を詳細に説明する。なお、この実施例によりこの発明が限定されるものではない。
【００１１】
図６は、本発明の実施の対象となる自動販売機の概略正面図の一例を示すものであり、自動販売機１は、複数（ｎ個）のコラムを庫内に備えている。このコラムは、例えばサーペンタイン式のラックから成るもので、複数種類の商品を個別に収納する一方、後述する商品選択スイッチ４ａが押され、販売指令が与えられた場合に押された商品選択スイッチ４ａに対応する商品の払い出しを行う。
【００１２】
また、自動販売機の前面には、商品見本展示室２、商品見本展示室２内に設けられる複数の商品見本２ａと、商品見本２ａに対応した商品の価格表示部３と、商品見本２に対応した販売可能ランプおよび売切ランプを内蔵する商品選択スイッチ４ａと、紙幣を入金する紙幣入金口５と、硬貨を投入するする硬貨投入口６と、返却レバー７と、電子マネーカードをかざすためのリーダライタ部８と、釣銭などを返却する硬貨返却口６ａと、投入金額表示、募金金額表示を行う金額表示器９と、払い出された商品を取り出す商品取出口１０とを備える。
【００１３】
商品見本展示室２は、前面上部に構成した透明の窓であり、内部に配列した商品見本２ａを外部に視認させることが可能である。商品見本展示室２を通じて視認される商品見本２ａは、それぞれコラムに収納した商品を現し、商品選択ボタン４と対応して設けられ、本実施例において、商品見本展示室２内に募金を啓蒙する募金表示部２ｂと、募金表示部２ｂに対応した募金金額表示部３ｂと、商品選択スイッチ４ａを利用した募金スイッチ４ｂが新たに設けられる。
【００１４】
次に、図１に、本発明の実施例を示すブロック図である。図１において、１１は自動販売機全体を制御し、制御プログラムを記憶するメモリ１１ａおよび各種データを記憶するメモリ１１ｂを備える主制御部である。
【００１５】
この主制御部１１には、リーダライタ部８、各種設定を行うためのリモコン１２、硬貨あるいは紙幣の受入、演算を行う貨幣処理部１３、冷熱装置を制御する冷熱制御部１４、商品を搬出する搬出装置を制御する搬出制御部１５、商品選択スイッチ４ａ、募金スイッチ４ｂ、金額表示器９などがそれぞれ接続されている。
【００１６】
ここで、本実施例において、募金スイッチ４ｂの設定について説明する。
【００１７】
まず、自動販売機の機能のひとつである釦数とコラム数などを予め設定しておく構造モードを利用して、実際のコラム数に搬出装置と関連付けられていないコラム数を加算し、この加算された架空コラムを予め設定しておく。
【００１８】
この状態で、コラムと募金スイッチ４ｂとの対応関係を設定するもので、コラムとスイッチとの設定モードとし、架空コラムを表示させた後、募金スイッチ４ｂを押すことで架空コラムと募金スイッチ４ｂとの対応関係が設定記憶される。
【００１９】
この後、価格設定モードとし、この架空コラムに対応付けた仮の価格として募金金額を設定し、募金スイッチ４ｂを押すことで、募金金額が設定記憶させる。
【００２０】
この設定した内容をメモリ１１ｂに記憶させ、その募金金額を募金金額表示部３ｂに表示するものである。
【００２１】
募金が行われると、この架空コラムの売上としてメモリ１１ｂの所定領域に募金金額を集計して記憶し、実際のコラムと関係がないため、搬出装置を動作させる必要がなく、空きのコラムを設ける必要がない。
【００２２】
なお、募金金額は、上記のように商品の価格設定と同様に募金金額を設定しておいても良いが、募金スイッチ４ｂが押されるまでの入金額、募金金額が設定されている場合におけるスイッチ操作回数分を加算した金額など、種々の方法が考えられる。
【００２３】
金額表示器９は、入金された硬貨あるいは紙幣の合計金額を表示したり、募金金額あるいは募金合計額を表示させたりすることができる。
【００２４】
次に、商品購入時および募金時の処理について説明する。
【００２５】
まず、商品購入時の処理について、図５のフローチャートを用い、簡単に説明する。
【００２６】
販売待機状態において、硬貨投入口６に所定金額の硬貨が投入されると（ステップＳ７１，Ｙｅｓ）、商品選択スイッチ４ａの販売可能ランプが点灯し（ステップＳ７２）、商品選択ボタン４が押されると（ステップＳ７３，Ｙｅｓ）、搬出制御部１５から押された商品選択ボタン４に対応する搬出制御部１５を介して搬出装置に対して商品の搬出指令が出され、対応するコラムから商品が商品取出口１０へ搬出され（ステップＳ７４）、釣銭がある場合には（ステップＳ７５，Ｙｅｓ）、硬貨返却口６ａから釣銭が返却されて（ステップＳ７６）、商品の一販売が終了する。
【００２７】
なお、硬貨による例を示したが、紙幣あるいは電子マネーにおいても、同様の販売形態となる。
【００２８】
次に、募金時の処理について、複数の方法について順に説明する。
１）募金金額が設定されている場合
まず、募金スイッチ４ｂに対応付けて価格に相当する募金金額が設定されている場合には、価格表示部３ｂに募金金額が表示されており、例えば、５０円と募金金額が設定されているものとする。
【００２９】
ここで、図２のフローチャートに基づいて、一実施例を説明すると、硬貨投入口６に募金金額として５０円分の硬貨が投入されると（ステップＳ２１，Ｙｅｓ）、募金スイッチ４ｂの販売可能ランプが点灯し（ステップＳ２２）、募金スイッチ４ｂが押されると（ステップＳ２３，Ｙｅｓ）、メモリ１１ｂの所定領域に募金金額が記憶され（ステップＳ２４）、一連の募金処理が終了する。
【００３０】
ここで、募金が行われる毎に、メモリ１１ｂの所定領域における架空コラムの募金金額が加算されていくものである。
【００３１】
なお、上記実施例において、商品購入時と募金時との処理を別のフローチャートにて示したが、硬貨投入後、１００円が投入された場合、１００円で商品購入が可能であれば、対応する商品選択スイッチ４ａの販売可能ランプの点灯ならびに募金スイッチ４ｂの販売可能ランプも点灯して、利用者は商品購入か募金かに基づき、スイッチを選択するものである。
【００３２】
このときに、募金スイッチ４ｂが押された場合には、５０円を釣銭として返却する。
【００３３】
他の実施例としては、５０円と設定されている募金スイッチ４ｂを２回押すことで、１００円を募金できるようにしてもよい。
【００３４】
なお、貨幣に代えて、電子マネーカードの場合、リーダライタ部８にカードをタッチすると、カードの残高を読み取り、カード残高が募金金額以上の場合に、募金スイッチ４ｂを押すことで、電子マネーカードの残高が更新されて、募金が完了するものであり、この場合には、実際の入金はないので、カードによる募金であることをメモリ１１ｂに別途記憶させる。
【００３５】
次に、図３のフローチャートに基づいて、他の実施例を説明すると、先選択として硬貨投入前に募金スイッチ４ｂを押すと（ステップＳ３１）、押された募金スイッチ４ｂの販売可能ランプが点灯し（ステップＳ３２）、硬貨の投入有無を判断する（ステップＳ３３）。
【００３６】
ここで、硬貨が投入され（ステップＳ３３，Ｙｅｓ）、次に釣銭の有無を判断して（ステップＳ３４）、予め設定されている募金金額分（例：５０円）の投入であれば（ステップＳ３４，Ｙｅｓ）、メモリ１１ｂの所定領域に募金金額が記憶され（ステップＳ３５）、釣銭が必要な場合には（ステップＳ３４，Ｎｏ）、釣銭を払い出し（ステップＳ３６）、募金金額としてメモリ１１ｂの所定領域に募金金額が記憶され（ステップＳ３５）、一連の募金処理が終了する。
【００３７】
一方、硬貨投入前の募金スイッチ４ｂの操作回数分が募金金額として加算していくことも可能であり、この場合、５０円と設定されているので、例えば、４回押されたとすると、この場合、「２００円」となり、この時点で、２００円分の硬貨の投入を行うことで、２００円が募金金額としてメモリ１１ｂの所定領域に募金金額が記憶され、一連の募金処理が終了する。
【００３８】
この実施例の場合は、募金金額が理解し易いように金額表示器９を利用して表示するとよい。
【００３９】
なお、上記実施例と同様に、電子マネーカードを用いて募金を行うことも可能である。
【００４０】
また、募金スイッチ４ｂの先選択の場合、悪戯を防止するために、所定時間内に貨幣投入あるいは電子マネーカードがタッチされなければクリアするか、自動販売機の利用者を検知できるフォトセンサなどを設けておき、センサで検知しなければ、クリアするようにしてもよい。
２）募金金額が設定されていない場合
募金金額が設定されていない場合について、図４のフローチャートに基づいて説明すると、硬貨投入口６に硬貨が投入されると（ステップＳ４１）、募金スイッチ４ｂの販売可能ランプが点灯し（ステップＳ４２）、次に、募金スイッチ４ｂが押されたかを判断する（ステップＳ４３）。
【００４１】
ここで、募金スイッチ４ｂが押されるまで、硬貨の投入待ちとなり、例えば、７枚の１０円を硬貨投入口６から投入した後に、募金スイッチ４ｂが押されると（ステップＳ４３，Ｙｅｓ）、メモリ１１ｂの所定領域に今回の７０円の募金金額が記憶され（ステップＳ４４）、一連の募金処理が終了する。
【００４２】
このように、この実施例では、募金スイッチ４ｂが押されるまでに投入された任意の合計金額が募金金額となる。
３）集計処理について
また、この他の実施例として、募金金額の集計モードについて説明する。
【００４３】
この集計モードは、商品販売における売上集計確認モードと同様に、リモコン１２を操作し、募金スイッチ４ｂを押すことで、募金金額のみ集計額を確認可能とするものであり、プリンタなどを備える場合には、その募金金額を印字可能とし、募金金額がすぐに理解できるようにすると、通常の売上とは異なる募金金額の回収が容易となる。
また、このように、集計募金金額は、販売待機中において、金額表示器９を利用して合計募金金額を表示するようにしてもよく、また、表示器が大型の場合には、募金の期間も表示するようにしても良い。
【００４４】
すなわち、一旦、集計して募金金額を回収すると、また、新たな募金として開始するため、期間を表示するものである。
【００４５】
この他、募金スイッチ４ｂを一つとしたが、複数の募金スイッチ４ｂを設けておいてもよく、その場合には、募金スイッチ４ｂ毎に異なる募金金額とすることで、利用者に、はばひろく募金を行ってもらうことが可能となり、また、所定の募金金額に達した時点の募金者には、商品無料提供するなどのサービスの行うことで募金への関心を向上させ、さらに、音声装置を備えている自動販売機においては、音声にて募金に関する各情報を報知するなど種々の実施例が考えられる。
【符号の説明】
【００４６】
１      自動販売機
２      商品見本展示室
２ａ    商品見本
２ｂ    募金表示部
３ａ    価格表示部
３ｂ    募金金額表示部
４ａ    商品選択スイッチ
４ｂ    募金スイッチ
５      紙幣入金口
６      硬貨投入口
８      リーダライタ部
９      金額表示器
１０    商品取出口
１１    主制御部
１１ｂ  メモリ
１２    リモコン
【図１】
2011222052.tif 000003
【図２】
2011222052.tif 000004
【図３】
2011222052.tif 000005
【図４】
2011222052.tif 000006
【図５】
2011222052.tif 000007
【図６】
2011222052.tif 000008